(57)【要約】【課題】柔軟で塑性変形し易い素材でなっていて、且つ、特殊形状をなす被包装物、例えば、粒餡入り生八ツ橋として良く知られているような被包装物を、型くずれしないように包装するためのトレー型包装用容器を提供すること。【解決手段】柔軟で塑性変形し易い素材でなり、特殊形状でなる被包装物Ｈを、適量数毎に小分けして包装するためのトレー型包装用容器１であり、底壁２と、前記底壁の周囲から上方向に向けてのびる周囲側壁３とを有し、上面に全面開口４を有するものであって、前記トレー型包装用容器の底壁に、前記トレー型包装用容器内における前記被包装物のすべり止めのためのすべり止め手段５を一体成形してなることを特徴とするトレー型包装用容器。【選択図】図１
0003129396.tif 000002
【実用新案登録請求の範囲】
【請求項１】
柔軟で塑性変形し易い素材でなり、特殊形状でなる被包装物を、適量数毎に小分けして包装するためのトレー型包装用容器であり、底壁と、前記底壁の周囲から上方向に向けてのびる周囲側壁とを有し、上面に全面開口を有するものであって、前記トレー型包装用容器の底壁に、前記トレー型包装用容器内における前記被包装物のすべり止めのためのすべり止め手段を一体成形してなることを特徴とするトレー型包装用容器。
【請求項２】
前記すべり止め手段が、前記トレー型包装用容器の底壁内面から突出する複数の突起により形成されていることを特徴とする請求項１に記載のトレー型包装用容器。
【請求項３】
前記すべり止め手段が、前記トレー型包装用容器の底壁内面から突出する反転文字、反転記号、反転紋様などからなることを特徴とする請求項１に記載のトレー型包装用容器。
【考案の詳細な説明】
【技術分野】
【０００１】
この考案は、柔軟で塑性変形し易い素材でなっていて、且つ、特殊形状をなす被包装物、例えば、粒餡入り生八ツ橋として良く知られているような被包装物を、型くずれしないように包装するためのトレー型包装用容器に関するものである。
【背景技術】
【０００２】
この考案において対象とする被包装物とは、例えば、その具体的な一例として、柔軟で塑性変形し易い素材でなっていて、且つ、平面三角形状という特殊形状に成形された扁平な生菓子である。この生菓子は、より具体的には、矩形シート状の外側菓子材と、内部に挟み込む粒餡などの挟み込み菓子材とによって構成されており、該外側菓子材をその一対角線に沿って折りたたみ、その内部に該挟み込み菓子材を挟み込んだ形態をなすものである。この生菓子は、柔軟で塑性変形し易いものであり、特殊形状であるがため、その包装には、色々な問題点を有していた。
【０００３】
問題点の一つとしては、この種の生菓子食品のような被包装物については、その包装に際して、図１Ａにも示すように、当該被包装物を適量数毎に小分けしてトレー型包装用容器に小分け包装し、この小分けしたトレー型包装用容器を複数個（図１Ａに示す例によれば、二つ）まとめて外装箱内に収納して包装している。このような場合、外装箱を縦、横にして持ち運びすると、内部の被包装物が無造作に移動してしまい、型くずれしてしまい、元の形態を維持することができなかった。
【０００４】
従来、このずれによる型くずれの防止法としては、脱酸素剤とパックフィルムを使用するようになってからは、パック内の空気がなくなりフイルムが収縮することを利用して、型くずれをなくしていた。この方法の具体例によれば、トレーの高さ（深さ）を被包装物の高さよりも低くし、トレーを覆うフィルムで被包装物を押さえ付けることによって、該被包装物を固定してずれないようにしていた。
【０００５】
しかしながら、この従来の方法では、被包装物がフィルムによって押さえ付けられるので、重なり合った被包装物同士が互いにひっついて離れにくくなり、あるいは、被包装物が押しつぶされた形状になる、などの問題点を有するものであった。
【考案の開示】
【考案が解決しようとする課題】
【０００６】
そこで、この考案では、柔軟で塑性変形し易い素材でなっていて、且つ、特殊形状をなす被包装物、例えば、粒餡入り生八ツ橋として良く知られているような被包装物を、型くずれしないように包装するためのトレー型包装用容器を提供することにある。
【課題を解決するための手段】
【０００７】
この考案は、上記する目的を達成するにあたって、請求項１に記載の考案は、柔軟で塑性変形し易い素材でなり、特殊形状でなる被包装物を、適量数毎に小分けして包装するためのトレー型包装用容器であり、底壁と、前記底壁の周囲から上方向に向けてのびる周囲側壁とを有し、上面に全面開口を有するものであって、前記トレー型包装用容器の底壁に、前記トレー型包装用容器内における前記被包装物のすべり止めのためのすべり止め手段を一体成形してなることを特徴とするトレー型包装用容器を構成するものである。
【０００８】
さらに、この考案において請求項２に記載の考案は、請求項１に記載のトレー型包装用容器であって、前記すべり止め手段が、前記トレー型包装用容器の底壁内面から突出する複数の突起により形成されていることを特徴とするものである。
【０００９】
さらにまた、この考案において請求項３に記載の考案は、請求項１に記載のトレー型包装用容器であって、前記すべり止め手段が、前記トレー型包装用容器の底壁内面から突出する反転文字、反転記号、反転紋様などからなることを特徴とするものである。
【考案の効果】
【００１０】
この考案になるトレー型包装用容器は、当該トレー型包装用容器の底壁に、トレー型包装用容器内における被包装物のすべり止めのためのすべり止め手段を一体成形したものからなっており、構造が極めて簡単であって、多量生産に適合する点において、経済的に極めて有効であり、当該すべり止め手段によって、被包装物をトレー型包装用容器内に定置でき、ずれによる型くずれを確実に防止することができるという点において極めて有効に作用するものといえる。
【００１１】
さらに、この考案になるトレー型包装用容器は、前記すべり止め手段を、トレー型包装用容器の底壁内面から突出する反転文字、反転記号、反転紋様などによって構成したことにより、被包装物をトレー型包装用容器内に定置でき、ずれによる型くずれを確実に防止することができるとともに、柔軟で塑性変形し易い素材でなる被包装物に対し、反転文字、反転記号、反転紋様などを転写して正転文字、記号あるいは紋様を刻印したような構成のものとして提供することができ、その点においても極めて有効に作用するものといえる。
【考案を実施するための最良の形態】
【００１２】
以下、この考案になるトレー型包装用容器について、図面に示す具体的な実施例に基づいて詳細に説明する。図１は、この考案になるトレー型包装用容器の一実施例を示すものであり、図１Ａは、二つのトレー型包装用容器を外装箱内に配列梱包した状態を示す概略的な斜視図であり、図１Ｂは、この考案になるトレー型包装用容器の具体的な実施例を示す概略的な斜視図であり、図１Ｃは、図１Ｂに示すトレー型包装用容器内に収容されていた被包装物を取り出した状態を示す概略的な斜視図である。
【００１３】
この考案になるトレー型包装用容器１は、柔軟で塑性変形し易い素材でなっていて、特殊形状でなる被包装物Ｈを、適量数毎に小分けして包装するためのものであり、被包装物Ｈとしては、具体的実施例では、図１Ｃに示すような形態でなる粒餡入り生八ツ橋であって、柔軟で塑性変形し易く、三角形形状のものである。
【００１４】
この考案になるトレー型包装用容器１は、図１Ｂに示すように、薄いシート状のプラスチック製の一体成形品であり、底壁２と、前記底壁２の周囲から上方向に向けてのびる周囲側壁３とを有し、上面に全面開口４を有するものからなっている。
【００１５】
この考案になるトレー型包装用容器１の素材としては、特に限定されるものではないが、プラスチックを薄層（例えば、０．３ｍｍ程度）に成形したプラスチック成形品が例示され、好ましくは、ポリエチレンテレフタレート（ＰＥＴ）製、あるいは、ポリスチレン（ＰＳ）製のものからなっている。この考案において、前記トレー型包装用容器１は、透明のものであってもよいし、あるいは、着色透明、半透明、さらには、不透明のものであってもよい。
【００１６】
この考案では、特に、前記トレー型包装用容器１の底壁２に対して、前記トレー型包装用容器１内における被包装物Ｈのすべり止めのためのすべり止め手段５が一体成形により形成されている。
【００１７】
さらに、この考案において、すべり止め手段５は、前記トレー型包装用容器１の底壁内面２ａから外方に向けて突出する複数の突起５Ａによるものであってもよいし、あるいは、当該すべり止め手段５は、トレー型包装用容器１の底壁内面２ａから外方に向けて突出する反転文字、反転記号、反転紋様５Ｂなどよるものであってもよい。
【００１８】
この考案になるトレー型包装用容器１は、全面開口４の周囲に、径方向外側に向けて周状のフランジ６がもうけてあり、当該トレー型包装用容器１を補強するとともに、ラップフィルムなどにより当該トレー型包装用容器１の全面開口４を封閉する場合において、前記ラップフィルムの周縁部分を付着支持する部分として作用する。
【図面の簡単な説明】
【００１９】
【図１】図１は、この考案になるトレー型包装用容器の一実施例を示すものであり、図１Ａは、二つのトレー型包装用容器を外装箱内に配列梱包した状態を示す概略的な斜視図であり、図１Ｂは、この考案になるトレー型包装用容器の具体的な実施例を示す概略的な斜視図であり、図１Ｃは、図１Ｂに示すトレー型包装用容器内に収容されていた被包装物を取り出した状態を示す概略的な斜視図である。
【符号の説明】
【００２０】
１  トレー型包装用容器
２  底壁
２ａ  底壁内面
３  周囲側壁
４  全面開口
５  すべり止め手段
５Ａ  突起
５Ｂ  反転文字、反転記号、反転紋様など
６  周状のフランジ
Ｈ  被包装物
ＯＰ  外装箱
【図１】
0003129396.tif 000003
【手続補正書】
【提出日】平成18年11月16日(2006.11.16)
【手続補正１】
【補正対象書類名】図面
【補正対象項目名】図１
【補正方法】変更
【補正の内容】
【図１】
0003129396.tif 000004